(57)【要約】【課題】空気調和機においては内部に空気中に含まれる塵埃が侵入するのを防止するために、エアフィルタを設けエアフィルタの清掃を自動で行う機能を有したものがある。しかし、外気を直接導入する構成で、且つ砂嵐の舞うような地域での設置を前提とした場合、エアフィルタに付着した塵埃を吸引する吸引ノズルを駆動する駆動装置を構成しているウォームとラックの噛み合い部分やローラの部あるいは吸引ノズルの制御を行なうリミットスイッチ等に砂塵が入り込み吸引ノズルの摺動に支障をきたし清掃効率を低下させる恐れがあるという課題を有する。【解決手段】吸入ノズルを駆動するラックやウォームギア等の駆動装置、吸引ノズルの動きを安定させるためのローラ、及び吸引ノズルを制御するリミットスイッチ等を防塵カバーで覆う構成にしたことを特徴とする。【選択図】図７
2006292246.tif 000002
【特許請求の範囲】
【請求項１】
内部に熱交換器と、送風機と、エアフィルターを設け、前記エアフィルターに当接して前記エアフィルターに付着した塵埃を除去しユニット外へ排出する自動清掃装置を備えた空質ユニットにおいて、前記自動清掃装置は前記エアフィルターに対向する吸引ノズルと、駆動装置を介して前記吸引ノズルを駆動する駆動源を備え、前記駆動装置は防塵カバーで覆ったことを特徴とする空質ユニット。
【請求項２】
駆動装置は吸引ノズルと接続具を介して一体的に摺動するウォームギアと、前記ウォームギアと噛合うラックを備え、前記ラックの歯部は下方向を向き、前記防塵カバーの天部に配設したことを特徴とする、請求項１に記載の空質ユニット。
【請求項３】
防塵カバーの内部に収納された駆動装置の側部と下部にそれぞれ一対のローラを配したことを特徴とする、請求項１に記載の空質ユニット。
【請求項４】
防塵カバーの開口部にスリットを有するシートを配し、前記スリット部を前記吸引ノズルとの接続部が貫通することを特徴とする、請求項１に記載の空質ユニット。
【発明の詳細な説明】
【技術分野】
【０００１】
本発明は、エアフィルタを自動的に清掃する機能を備えた空室ユニットに関するものである。
【背景技術】
【０００２】
従来の空気調和機の室内ユニットにおいては、本体内部への塵埃が侵入するのを防止するため熱交換器の前面にエアフィルタが設置されており、定期的にエアフィルタを外して清掃する必要があるが、最近、エアフィルターの前面に吸引ノズルを摺動させ自動的にエアフィルタを清掃する空気調和機が提案されている（例えば、特許文献１参照）
【特許文献１】特開２００２−３４０３９５号公報
【発明の開示】
【発明が解決しようとする課題】
【０００３】
しかしながら、公知技術のフィルタ自動清掃装置は、居室で使用されるもので有り、空質ユニットの様に、外気を直接導入する構成で、且つ砂嵐の舞うような地域での設置を前提とした場合吸引ノズルの駆動装置であるウォームとラックの噛み合い部分や制御用のリミットスイッチ等に砂塵が入り込み吸引ノズルの摺動に支障をきたし清掃効率を低下させる恐れがあるという課題があった。
【０００４】
本発明は前記従来の課題を解決するためのもので、空室ユニット内の多量の塵埃が存在する空間に備えられた自動清掃装置の駆動装置が塵埃のために動作不可能になることを防止することを目的とする。
【課題を解決するための手段】
【０００５】
前記従来の課題を解決するために、本発明の空質ユニットは、吸引ノズルを駆動するラックやウォームギア等の駆動装置、吸引ノズルの動きを安定させるためのローラ、及び吸引ノズルを制御するリミットスイッチ等を防塵カバーで覆う構成にしたことを特徴とする。
【発明の効果】
【０００６】
本発明の空質ユニットは、前記手段により、外気導入にて多量の砂塵が存在する状況にあっても、吸引ノズルがスムースに摺動しエアフィルタに付着した塵埃を吸引することが出来る。
【発明を実施するための最良の形態】
【０００７】
第１の発明は、内部に熱交換器と、送風機と、エアフィルターを設け、前記エアフィルターに当接して前記エアフィルターに付着した塵埃を除去しユニット外へ排出する自動清掃装置を備えた空質ユニットにおいて、前記自動清掃装置は前記エアフィルターに対向する吸引ノズルと、駆動装置を介して前記吸引ノズルを駆動する駆動源を備え、前記駆動装置は防塵カバーで覆ったものである。
【０００８】
この発明によれば、外気導入時に砂塵が吸引されても防塵カバーによって砂塵がウォームとラックの摺動部やリミットスイッチの接点部に入り込むのを防止しウォームとラックの回転やリミットスイッチの回転を妨げること無く、吸引ノズルの摺動を安定して保つことが出来る。
【０００９】
第２の発明は、特に第１の発明において、駆動装置は吸引ノズルと接続具を介して一体的に摺動するウォームギアと、前記ウォームギアと噛合うラックを備え、前記ラックの歯
部は下方向を向き、前記防塵カバーの天部に配設したものである。
【００１０】
この発明によれば、防塵カバーには駆動部と吸引ノズルを接続するための接続部が摺動する開口部を有しており、砂塵が侵入する確立はまったくのゼロではない。万一砂塵が防塵カバー内に侵入してもラックが下側を向いているためラックの歯部に砂塵が堆積することを防止でき吸引ノズルの摺動を安定して保つことが出来る。
第３の発明は、特に第１の発明において、防塵カバーの内部に収納された駆動装置の側部と下部にそれぞれ一対のローラを配したものである。
【００１１】
この発明によれば、下部のローラは駆動軸のたわみにより、ウォームギアとラックの噛み合いが少なくなりギア飛びを起こすことを防止する効果が有り、サイドのローラは駆動軸がエアフィルタから遠ざかる方向にたわむことを防止しエアフィルタと吸引ノズルの吸引口の距離を正常に保つ効果がある。
【００１２】
また２個のローラを一対としてサイドと下部に配したことにより吸引ノズルがフィルタ面に対して蛇行せず、平行して摺動することが出来る。
第４の発明は、特に第１の発明において、防塵カバーの開口部にスリットを有するシートを配し、前記スリット部を前記吸引ノズルとの接続部が貫通するものである。
【００１３】
この発明によれば、防塵カバーの開口部を塞ぐことにより、開口部から砂塵が侵入するのを防止することが出来る。
【００１４】
以下、本発明の実施の形態について、図面を参照しながら説明する。なお、本実施の形態によって本発明が限定されるものではない。
【００１５】
（実施の形態１）
図１は本発明の第一の実施の形態における空質ユニットの断面図、図２は本発明の第一の実施の形態における空質ユニットの背面方向よりの斜視図。
【００１６】
図３は本発明の第一の実施の形態における空質ユニットの断面図、図４は第一の実施の形態における吸い込みノズルの斜視図。
【００１７】
図５は第一の実施の形態における吸込みノズル駆動部の斜視図。図６は第一の実施の形態における吸込みノズルの斜視図。
【００１８】
図７は第一の実施の形態における駆動装置の分解斜視図である。
【００１９】
図１に示すように、ダクト式室内機３は天井裏の空間に懸吊され、吸入口２ａより空室ユニット１より空気を送風機２ｂにて吸込み、熱交換器２ｃにて熱交換し、吹出し口２ｄより熱交換された空気を居室内に送風する。空質ユニット１はダクト式室内機２の上流側にダクト３にて接続されている。
【００２０】
空質ユニット１はエアフィルタ４を備えており、送風機２ｂにて吸引された空気に含まれる塵埃や砂塵がダクト式室内機２を通過し居室内に吹出されるのを防止している。
【００２１】
また、空質ユニット１は外気導入の機能も備えており（図示せず）、外気導入、居室のみの吸入、外気と居室の同時吸入が出来る運転モードを選ぶことが出来る。
【００２２】
吸引ノズル５はエアフィルタ４の高さとほぼ同じ高さを有し、エアフィルタ４の塵埃が付着する面の全幅に渡って、駆動装置８により定期的に走行し、内部に送風ファンを備え
た排気装置７の動作により、エアフィルタ４と対向する面に設けた吸引口５ａよりエアフィルタ４の表面に付着した塵埃を吸引し、接続具６ａを介して接続された排気ダクト６、排気装置７を通過し排気装置７の排気口７ａに接続される排気パイプ（図示せず）を通過し室外に排出される構成となっており、ダクト式室内機２が運転していない時に動作する。
【００２３】
吸引ノズル５の下端部には、幅方向全長にわたって吸引ノズル５の駆動装置８を覆う防塵カバー１０が配設され、その天井部分にラック１１の歯部が下部を向く方向で配設されており、ラック１１の下部には断面形状が六角形で平行に延びる駆動軸９が設けられラック１１と噛み合うウォームギア１２が駆動軸９に摺動自在に取付けられている。
【００２４】
駆動軸９は一端を空質ユニット１の側壁に回動自在に取付けられ、他端は反対側の側壁に取付けた駆動源のモータ１３に直結されている。
【００２５】
また、ウォームギア１２はその中央部に形成されたギア部１２ａと、その両端部に形成された円筒部１２ｂと、軸心に沿って延びる六角形の駆動軸挿入孔を有し、この駆動軸挿入孔に駆動軸９は遊挿されている。
【００２６】
一方吸引ノズル５の下端部には連結部材Ａ１４、連結部材Ｂ１５、連結部材Ｃ１６が取付けられている。連結部材Ａ１４と連結部材Ｂ１５は、ウォームギア１２の円筒部１２ｂを係止し螺着されている。
【００２７】
更に連結部材Ｂ１５は連結部材Ｃ１６に螺着され連結部材Ｃ１６は吸引ノズル５に螺着されている。
【００２８】
連結部材Ａ１４、連結部材Ｂ１５にはそれぞれアンダーカット部１４ａ，１５ａを設けておりウォームギア１２の円筒部１２ｂを確実に係止している。
【００２９】
連結部材Ａ１４には側面側に一対のローラ１７と、下部に一対のローラ１８が配設されている。
【００３０】
ローラは可とう性の爪１７ａ、１８ａを有し連結部材に挿入固定されている。ローラ１８には爪１８ａの反対側に円筒部１８ｂを有し、連結部材Ａ１４、連結部材Ｂ１５を螺着した時ローラ１８の先端が連結部材Ｂ１５のローラ係止溝１５ｂに確実に係止されローラ１８の傾きの発生を防止している。
【００３１】
防塵カバー１０は、上記構成の吸引ノズル５を駆動する駆動軸９、ラック１１、ウォームギア１２、連結部材Ａ１４，連結部材Ｂ１５、リミットスイッチ１９等を含む駆動装置８を覆う逆Ｕ字形の断面を有しておりエアフィルタ４と対向する面の下部に連結部材Ｃ１５が移動する範囲にのみ開口部１０ａを有している。
【００３２】
これによりダクト式室内機２の機内に吸引された塵埃が、エアフィルタ４に吸着されず機内を浮遊した後、駆動装置８の上に落下堆積し、リミットスイッチ１９の動作不良やラック１１とウォームギア１２の間に入り込み音を発生させたり、正常な吸引ノズル５の摺動を妨げることを防止できる。
【００３３】
更に、ラック１１は防塵カバー１０の内部の天部に有りウォームギア１２と噛み合う歯部が下方向を向いており万一塵埃が入り込んでもラック１１の歯部に堆積しないように構成されている。
【００３４】
次に、駆動装置８の動作を説明する。
【００３５】
モータ１３が回転すると、モータ１３に直結している駆動軸９およびウォームギア１２が一体的に回転する。
【００３６】
ウォームギア１２はラック１１に嵌合しており、ウォームギア１２と連結部材Ａ１４，Ｂ１５，Ｃ１６を介して螺着された吸入ノズル５はエアフィルタ４に対して平行に動く配置であるが、駆動軸９が回転すると駆動軸９に触れが生じウォームギア１２はラック１１から、また吸引ノズル５はエアフィルタ４から離反する方向の力を生じるが、ウォームギア１２を係止している連結部材Ａ１４と連結部材Ｂ１５にローラ１７およびローラ１８をそれぞれ遊挿することにより、ローラ１７は防塵カバー１０の側壁で、ローラ１８は底板２０でガイドされ、ウォーム１２とラック１１、吸引ノズル５とエアフィルタ４の距離を正常に保つことが出来る。
【００３７】
また、ウォームギア１２は駆動軸９に摺動自在に取り付けられているために、ウォームギア１２と駆動軸９の間には若干の隙間を設けており、吸引ノズル５の上部にあるローラ２１が天板２２に設けたローラガイド２２ａとの摩擦力が生じるため吸引ノズル５の上部が下部より遅れて移動するため吸引ノズルの傾きが生じる。
【００３８】
この影響を最小限にするため上記のローラ１７、１８をそれぞれ２個で一対とし、連結部材Ａ１４、Ｂ１５の両端部に配置している。
【００３９】
一対のローラの間隔は、ウォームギア１２の両端部に形成された円筒部１２ｂ同士の間隔より大きくすることで、傾き防止の効果を大きくすることが出来る。
【００４０】
次に防塵カバー１０は駆動装置８を覆う形で設置しているが、駆動装置８と吸引ノズル５を接続する部分に連結部材Ｂ１５を設けており、この連結部材は防塵カバー１０の長手方向の長さにほぼ等しい距離を移動するため防塵カバー１０に開口部１０ａを設け連結部材Ｂ１５の通過するスペースを設け、この開口部１０ａの開口面積とほぼ同等の面積を持ち、連結部材Ｂ１５が通過する位置にスリット２３ａを配したシート２３を備えている。
【００４１】
このシート２３はゴム等の柔軟性のある材質のもので、連結部材Ｂ１５はスリット２３ａを貫通するよう取り付けられており、連結部材Ｂ１５が貫通している部分は開いているが他の箇所は閉じており塵埃が駆動装置８の内部に侵入するのを防止することができる。
【産業上の利用可能性】
【００４２】
本発明の空質ユニットは、エアフィルタの自動吸引装置を備え、外気導入も可能な空質ユニットで、自動吸引装置の駆動装置に防塵対策用の防塵カバーを設けることにより駆動装置の騒音発生や動作不良を防止することができるので、エアフィルタを有する空気調和機等の用途にも適用できる。
【図面の簡単な説明】
【００４３】
【図１】本発明の実施の形態における空質ユニットの断面図
【図２】本発明の実施の形態における空質ユニットの背面方向よりの斜視図
【図３】本発明の実施の形態における空質ユニットの断面図
【図４】本発明の実施の形態における吸い込みノズルの斜視図
【図５】本発明の実施の形態における吸込みノズルの駆動部の斜視図
【図６】本発明の実施の形態における吸い込みノズルの斜視図
【図７】本発明の実施の形態における駆動装置の分解斜視図
【符号の説明】
【００４４】
１  空質ユニット
２  ダクト式室内機
２ａ  吸入口
２ｂ  送風機
２ｃ  熱交換器
２ｄ  吹き出し口
３  ダクト
４  エアフィルタ
５  吸引ノズル
５ａ  吸引口
６  排気ダクト
６ａ  接続具
７  排気装置
７ａ  排気口
８  駆動装置
９  駆動軸
１０  防塵カバー
１０ａ  開口部
１１  ラック
１２  ウォームギア
１２ａ  ギア部
１２ｂ  円筒部
１３  モータ
１４  連結部材Ａ
１４ａ  アンダーカット
１５  連結部材Ｂ
１５ａ  アンダーカット
１５ｂ  ローラ係止溝
１６  連結部材Ｃ
１７  ローラ
１７ａ  爪
１８  ローラ
１８ａ  爪
１８ｂ  円筒部
１９  リミットスイッチ
２０  底板
２１  ローラ
２２  天板
２２ａ  ローラガイド
２３  シート
２３ａ  スリット
【図１】
2006292246.tif 000003
【図２】
2006292246.tif 000004
【図３】
2006292246.tif 000005
【図４】
2006292246.tif 000006
【図５】
2006292246.tif 000007
【図６】
2006292246.tif 000008
【図７】
2006292246.tif 000009